(57)【要約】【課題】データ転送を安全かつ容易に行うことができ、個人データの漏洩や携帯電話端末の不正使用を抑制して安全性を高め、携帯電話端末に備える様々な機能を簡単に実行することができる携帯電話システム及びその制御方法の提供。【解決手段】携帯電話システム３０を、充電のためのＡＣアダプタ１７と、携帯電話端末２０と接続するためのＩ／Ｆ部１６と、認証情報や設定情報を記憶するメモリ１５と、外部の機器と接続するための外部Ｉ／Ｆ部１８と、各手段の制御や携帯電話端末２０の認証を行う制御部１１などを備える卓上充電器１０と、無線通信のための無線部２２及びアンテナ部２１と、認証情報や個人データを記憶するメモリ２６と、卓上充電器１０に認証情報や個人データを送信すると共に、設定情報に基づいて各種機能を制御する制御部２５などを備える携帯電話端末２０とで構成する。【選択図】図１
2007306288.tif 000002
【特許請求の範囲】
【請求項１】
携帯電話端末と、記憶手段と制御手段とを少なくとも備える充電器とで構成される携帯電話システムであって、
前記充電器の前記制御手段は、前記充電器に接続された前記携帯電話端末から取得した認証情報と前記記憶手段に予め記憶された認証情報との比較結果に基づいて、前記携帯電話端末を認証する認証機能を備えることを特徴とする携帯電話システム。
【請求項２】
ＲＦＩＤ通信手段を備える携帯電話端末と、記憶手段と制御手段とＲＦＩＤ通信手段とを少なくとも備える充電器とで構成される携帯電話システムであって、
前記充電器の前記制御手段は、前記携帯電話端末の前記ＲＦＩＤ通信手段と前記充電器の前記ＲＦＩＤ通信手段との間の通信を利用して前記携帯電話端末から取得した認証情報と前記記憶手段に予め記憶された認証情報との比較結果に基づいて、前記携帯電話端末を認証する認証機能を備えることを特徴とする携帯電話システム。
【請求項３】
前記充電器の前記制御手段は、前記携帯電話端末を認証した場合に、前記携帯電話端末への充電を開始する制御を行うことを特徴とする請求項１又は２に記載の携帯電話システム。
【請求項４】
前記充電器の前記制御手段は、前記携帯電話端末を認証した場合に、前記記憶手段に予め記憶された設定情報を前記携帯電話端末に送信する制御を行い、
前記携帯電話端末では、受信した前記設定情報に基づいて所定の機能を実行することを特徴とする請求項１又は２に記載の携帯電話システム。
【請求項５】
前記所定の機能はデータ転送機能であり、
前記携帯電話端末は、受信した前記設定情報に基づいて該携帯電話端末に予め記憶された所定のデータを前記充電器に送信し、
前記充電器の前記制御手段は、受信した前記データを前記記憶手段に記憶する制御を行うことを特徴とする請求項４記載の携帯電話システム。
【請求項６】
前記所定の機能は電子メール送信機能であり、
前記携帯電話端末は、受信した前記設定情報に基づいて該携帯電話端末に予め記憶された所定の電子メールを送信することを特徴とする請求項４記載の携帯電話システム。
【請求項７】
前記充電器に他の機器が接続され、
前記充電器の前記制御手段は、前記携帯電話端末を認証した場合に、前記携帯電話端末と前記他の機器との通信を許可する制御を行い、
前記携帯電話端末と前記他の機器との間で、データ同期管理が実行可能とされることを特徴とする請求項１又は２に記載の携帯電話システム。
【請求項８】
前記充電器の前記制御手段は、前記携帯電話端末を認証した場合に、前記携帯電話端末から使用履歴情報を取得し、該使用履歴情報に基づいて前記携帯電話端末の使用状態を診断する制御を行うことを特徴とする請求項１又は２に記載の携帯電話システム。
【請求項９】
携帯電話端末と、記憶手段と制御手段とを少なくとも備える充電器とで構成される携帯電話システムの制御方法であって、
前記充電器の前記記憶手段に認証情報を記憶するステップと、
前記充電器の前記制御手段で、前記充電器に接続された前記携帯電話端末から取得した認証情報と前記記憶手段に記憶した認証情報との比較結果に基づいて、前記携帯電話端末を認証するステップと、を少なくとも有することを特徴とする携帯電話システムの制御方法。
【請求項１０】
ＲＦＩＤ通信手段を備える携帯電話端末と、記憶手段と制御手段とＲＦＩＤ通信手段とを少なくとも備える充電器とで構成される携帯電話システムの制御方法であって、
前記充電器の前記記憶手段に認証情報を記憶するステップと、
前記充電器の前記制御手段で、前記携帯電話端末の前記ＲＦＩＤ通信手段と前記充電器の前記ＲＦＩＤ通信手段との間の通信を利用して前記携帯電話端末から取得した認証情報と前記記憶手段に記憶した認証情報との比較結果に基づいて、前記携帯電話端末を認証するステップと、を少なくとも有することを特徴とする携帯電話システムの制御方法。
【請求項１１】
前記携帯電話端末が認証された場合に、前記携帯電話端末への充電を開始することを特徴とする請求項９又は１０に記載の携帯電話システムの制御方法。
【請求項１２】
前記携帯電話端末が認証された場合に、前記記憶手段に予め記憶された設定情報を前記携帯電話端末に送信し、
前記携帯電話端末で、受信した前記設定情報に基づいて所定の機能を実行することを特徴とする請求項９又は１０に記載の携帯電話システムの制御方法。
【請求項１３】
前記所定の機能はデータ転送機能であり、
前記携帯電話端末は、受信した前記設定情報に基づいて該携帯電話端末に予め記憶された所定のデータを前記充電器に送信し、
前記充電器の前記制御手段は、受信した前記データを前記記憶手段に記憶することを特徴とする請求項１２記載の携帯電話システムの制御方法。
【請求項１４】
前記所定の機能は電子メール送信機能であり、
前記携帯電話端末は、受信した前記設定情報に基づいて該携帯電話端末に予め記憶された所定の電子メールを送信することを特徴とする請求項１２記載の携帯電話システムの制御方法。
【請求項１５】
前記携帯電話端末が認証された場合に、前記携帯電話端末と前記充電器に接続される他の機器との通信を許可し、
前記携帯電話端末と前記他の機器との間で、データ同期管理を実行することを特徴とする請求項９又は１０に記載の携帯電話システムの制御方法。
【請求項１６】
前記携帯電話端末が認証された場合に、前記携帯電話端末から使用履歴情報を取得し、該使用履歴情報に基づいて前記携帯電話端末の使用状態を診断することを特徴とする請求項９又は１０に記載の携帯電話システムの制御方法。
【発明の詳細な説明】
【技術分野】
【０００１】
本発明は、携帯電話端末と充電器とからなる携帯電話システム及び該携帯電話システムの制御方法に関する。
【背景技術】
【０００２】
近年、様々な機能を備えた携帯電話端末が普及しており、携帯電話端末で取得した各種データをパーソナルコンピュータなどの外部機器に転送する機能を備えた携帯電話端末も販売されている。例えば、下記特許文献１には、外部の情報処理装置との間でデータ転送を行う外部インターフェース手段と、メモリと、メモリに記憶されたデータを外部インターフェース手段に伝送する伝送手段とを備える携帯電話端末が開示されている。
【０００３】
【特許文献１】特開２００５−１３０３３９号公報（第６−１３頁、第３図）
【発明の開示】
【発明が解決しようとする課題】
【０００４】
しかしながら、従来のデータ転送機能付き携帯電話端末においては、次のような課題がある。
【０００５】
第１の課題は、データ転送機能が付いた携帯電話端末で同じ機能を繰り返し使う場合、同じ操作を毎回実行しなければならず、また、外部機器を用意して様々な接続等を行わなければならないため、ユーザーによっては使用が煩雑になるということである。また、音声中心の利用からデータ中心の利用へと携帯電話端末の使用シーンが移行する中、小型・軽量化をはかり携帯性が重視される携帯電話端末では搭載できる大容量メモリも限られる。また、携帯電話端末で扱うデータ量は増加する一方で個人データを外部メモリ等に保存する形態もあるが、一度外部メモリへデータ保存を行い、パーソナルコンピュータなどの外部機器へ保存するようなケースがあり、操作容易性を低下させる場合があるということである。
【０００６】
また、第２の課題は、個人データを携帯電話端末に搭載するメモリに記憶すると、携帯電話端末が盗難にあった場合等、第三者が携帯電話端末を不正に使用し、データが悪用されるということである。また、携帯電話端末自身に盗難等での第三者使用を防ぐ機能を備えたものもあるが、携帯電話端末が充電されるとさらに継続的に使用される恐れがあるということである。
【０００７】
また、第３の課題は、携帯電話端末は様々な機能が搭載されているが、機能によっては用途に応じて設定を変更する等の操作が必要になる。例えば、自動メール配信、ハンディキャップ者の在宅確認メール送信、目覚まし設定、スケジューラの自動同期といった機能は、ある条件下のみで定期的に設定を変更する場合には、毎回携帯電話端末で変更する必要があり、設定が煩雑になるということである。
【０００８】
本発明は、上記問題点に鑑みてなされたものであって、その第１の目的は、データ転送を安全かつ容易に行うことができる携帯電話システム及びその制御方法を提供することにある。
【０００９】
また、本発明の第２の目的は、個人データの漏洩や携帯電話端末の不正使用を抑制し、安全性を高めることができる携帯電話システム及びその制御方法を提供することにある。
【００１０】
また、本発明の第３の目的は、携帯電話端末に備える様々な機能を簡単に実行することができる携帯電話システム及びその制御方法を提供することにある。
【課題を解決するための手段】
【００１１】
上記目的を達成するため、本発明は、携帯電話端末と、記憶手段と制御手段とを少なくとも備える充電器とで構成される携帯電話システムであって、前記充電器の前記制御手段は、前記充電器に接続された前記携帯電話端末から取得した認証情報と前記記憶手段に予め記憶された認証情報との比較結果に基づいて、前記携帯電話端末を認証する認証機能を備えるものである。
【００１２】
また、本発明は、ＲＦＩＤ通信手段を備える携帯電話端末と、記憶手段と制御手段とＲＦＩＤ通信手段とを少なくとも備える充電器とで構成される携帯電話システムであって、前記充電器の前記制御手段は、前記携帯電話端末の前記ＲＦＩＤ通信手段と前記充電器の前記ＲＦＩＤ通信手段との間の通信を利用して前記携帯電話端末から取得した認証情報と前記記憶手段に予め記憶された認証情報との比較結果に基づいて、前記携帯電話端末を認証する認証機能を備えるものである。
【００１３】
本発明においては、前記充電器の前記制御手段は、前記携帯電話端末を認証した場合に、前記携帯電話端末への充電を開始する制御を行う構成とすることができる。
【００１４】
また、本発明においては、前記充電器の前記制御手段は、前記携帯電話端末を認証した場合に、前記記憶手段に予め記憶された設定情報を前記携帯電話端末に送信する制御を行い、前記携帯電話端末では、受信した前記設定情報に基づいて所定の機能を実行する構成とすることができ、前記所定の機能はデータ転送機能であり、前記携帯電話端末は、受信した前記設定情報に基づいて該携帯電話端末に予め記憶された所定のデータを前記充電器に送信し、前記充電器の前記制御手段は、受信した前記データを前記記憶手段に記憶する制御を行う構成、又は、前記所定の機能は電子メール送信機能であり、前記携帯電話端末は、受信した前記設定情報に基づいて該携帯電話端末に予め記憶された所定の電子メールを送信する構成とすることができる。
【００１５】
また、本発明においては、前記充電器に他の機器が接続され、前記充電器の前記制御手段は、前記携帯電話端末を認証した場合に、前記携帯電話端末と前記他の機器との通信を許可する制御を行い、前記携帯電話端末と前記他の機器との間で、データ同期管理が実行可能とされる構成とすることができる。
【００１６】
また、本発明においては、前記充電器の前記制御手段は、前記携帯電話端末を認証した場合に、前記携帯電話端末から使用履歴情報を取得し、該使用履歴情報に基づいて前記携帯電話端末の使用状態を診断する制御を行う構成とすることができる。
【００１７】
また、本発明は、携帯電話端末と、記憶手段と制御手段とを少なくとも備える充電器とで構成される携帯電話システムの制御方法であって、前記充電器の前記記憶手段に認証情報を記憶するステップと、前記充電器の前記制御手段で、前記充電器に接続された前記携帯電話端末から取得した認証情報と前記記憶手段に記憶した認証情報との比較結果に基づいて、前記携帯電話端末を認証するステップと、を少なくとも有するものである。
【００１８】
また、本発明は、ＲＦＩＤ通信手段を備える携帯電話端末と、記憶手段と制御手段とＲＦＩＤ通信手段とを少なくとも備える充電器とで構成される携帯電話システムの制御方法であって、前記充電器の前記記憶手段に認証情報を記憶するステップと、前記充電器の前記制御手段で、前記携帯電話端末の前記ＲＦＩＤ通信手段と前記充電器の前記ＲＦＩＤ通信手段との間の通信を利用して前記携帯電話端末から取得した認証情報と前記記憶手段に記憶した認証情報との比較結果に基づいて、前記携帯電話端末を認証するステップと、を少なくとも有するものである。
【００１９】
本発明においては、前記携帯電話端末が認証された場合に、前記携帯電話端末への充電を開始する構成とすることができる。
【００２０】
また、本発明においては、前記携帯電話端末が認証された場合に、前記記憶手段に予め記憶された設定情報を前記携帯電話端末に送信し、前記携帯電話端末で、受信した前記設定情報に基づいて所定の機能を実行する構成とすることができ、前記所定の機能はデータ転送機能であり、前記携帯電話端末は、受信した前記設定情報に基づいて該携帯電話端末に予め記憶された所定のデータを前記充電器に送信し、前記充電器の前記制御手段は、受信した前記データを前記記憶手段に記憶する構成、又は、前記所定の機能は電子メール送信機能であり、前記携帯電話端末は、受信した前記設定情報に基づいて該携帯電話端末に予め記憶された所定の電子メールを送信する構成とすることができる。
【００２１】
また、本発明においては、前記携帯電話端末が認証された場合に、前記携帯電話端末と前記充電器に接続される他の機器との通信を許可し、前記携帯電話端末と前記他の機器との間で、データ同期管理を実行する構成とすることができる。
【００２２】
また、本発明においては、前記携帯電話端末が認証された場合に、前記携帯電話端末から使用履歴情報を取得し、該使用履歴情報に基づいて前記携帯電話端末の使用状態を診断する構成とすることができる。
【００２３】
このように、データ通信機能付き携帯電話端末やＲＦＩＤ機能付き携帯電話端末を前記端末との接続機能を有する充電器と組み合わせて使用し、携帯電話端末から取得した認証情報に基づいて認証を実行することにより、専用の充電器もしくは認証可能な充電器に対して各携帯電話端末のデータ転送が可能となり、充電毎に個人データを保護するためのデータ転送を自動的に実行することができる。また、卓上充電器のＩ／Ｆ部を介してのデータ転送ではなく、ＲＦＩＤ機能を活用した認証及びデータの受け取りを実行することにより、データ転送の利便性を向上させることができる。
【００２４】
また、個人データを充電器に記憶することにより、携帯電話端末が盗難にあった場合でも個人データの漏洩を防ぐことができ、また、認証された携帯電話端末に対してのみ充電を行うように充電器を設定することにより、携帯電話端末が盗難にあった場合でも継続的な使用を抑制することができ、これらにより安全性を高めることができる。
【００２５】
また、充電器から送信される設定情報に基づいて各種機能を実行するように携帯電話端末を設定することにより、自動メール配信、就業時間報告、ハンディキャップ者の在宅確認メール送信、目覚まし設定、スケジューラの自動同期、卓上充電器とパーソナルコンピュータの連動によるスケジュール管理同期などが可能となり、煩雑な操作をすることなく様々な機能を簡単に実行することができる。
【００２６】
さらに、携帯電話端末から通話やメール、アプリケーションの使用履歴、使用時間などの情報を取得し、取得した情報に基づいて携帯電話端末の使用状況を診断することにより、充電時間の予測、使用方法の情報などをユーザーに提供することもできる。
【発明の効果】
【００２７】
本発明の携帯電話システム及び該携帯電話システムの制御方法によれば、以下の効果が得られる。
【００２８】
本発明の第１の効果は、データ転送を安全かつ容易に行うことができるということである。その理由は、卓上充電器に予め認証情報を記憶しておき、接続された携帯電話端末から取得した認証情報と記憶した認証情報とを比較して充電中の携帯電話端末の認証を行うことにより、携帯電話端末とその卓上充電器の使用する上での個々の認証が可能となり、携帯電話端末の個人データを安全に保管する為のデータ自動転送が可能となるからである。
【００２９】
また、本発明の第２の効果は、携帯電話システムの安全性を高めることができるということである。その理由は、卓上充電器に個人データを記憶することにより、携帯電話端末が盗難にあった場合でも個人データの漏洩を防ぐことができるからである。また、認証された携帯電話端末に対してのみ充電を行うように卓上充電器を設定することにより、携帯電話端末が盗難にあった場合でも充電する機会を絶つことが可能となり、継続的な使用を抑制することができるからである。
【００３０】
また、本発明の第３の効果は、携帯電話端末の様々な機能を簡単に実行することができるということである。その理由は、卓上充電器からの設定情報に基づいて各種機能を実行するように携帯電話端末を設定することにより、例えば自動メール配信、就業時間報告、ハンディキャップ者の在宅確認メール送信、目覚まし設定、スケジューラの自動同期といった機能を、携帯電話端末を毎回操作することなく自動的に実行することができるからである。また、卓上充電器に外部機器と接続できるＩ／Ｆ部を設けることによりパーソナルコンピュータなどの外部機器との接続を可能とし、卓上充電器を介して携帯電話端末とパーソナルコンピュータを接続させることで、管理データの同期が可能となるからである。
【発明を実施するための最良の形態】
【００３１】
本発明の携帯電話システムは、その好ましい一実施の形態において、充電のためのＡＣアダプタと、携帯電話端末と接続するためのＩ／Ｆ部と、認証情報や設定情報を記憶するメモリと、外部の機器と接続するための外部Ｉ／Ｆ部と、各手段の制御や携帯電話端末の認証を行う制御部などを備える卓上充電器と、無線通信のための無線部及びアンテナ部と、認証情報や個人データを記憶するメモリと、卓上充電器に認証情報や個人データを送信すると共に、設定情報に基づいて各種機能を制御する制御部などを備える携帯電話端末とで構成される。
【００３２】
そして、卓上充電器に携帯電話端末を接続すると、卓上充電器の制御部は携帯電話端末から認証情報を取得し、取得した認証情報と卓上充電器のメモリに予め記憶した認証情報とを比較することによって携帯電話端末を認証し、認証した携帯電話端末に対して充電を開始する。また、卓上充電器の制御部はメモリに予め記憶した設定情報を認証した携帯電話端末に送信し、携帯電話端末の制御部は、その設定情報に基づいて個人データなどを充電器に送信したり、電子メールを送信するなどの各種機能を制御する。
【００３３】
このように、卓上充電器に認証機能を設け、認証した携帯電話端末から送信される個人データなどを自動的に保存することにより、データ転送を安全かつ容易に行うことができる。また、認証した携帯電話端末に対してのみ充電を行うことにより、携帯電話端末の継続的な不正使用を抑制して安全性を高めることができる。また、卓上充電器から送信される設定情報に基づいて携帯電話端末の各種機能を制御することにより、その都度ユーザーが設定や設定変更を行うことなく、様々な機能を容易に実行することができる。
【実施例１】
【００３４】
上記した本発明の実施の形態についてさらに詳細に説明すべく、本発明の第１の実施例に係る携帯電話システム及びその制御方法について、図１及び図２を参照して説明する。図１は、本実施例の携帯電話システムの構成を示すブロック図であり、図２は、携帯電話システムの制御動作を示すフローチャート図である。
【００３５】
図１に示すように、本実施例の携帯電話システム３０は、通信機能を備える携帯電話端末２０と、携帯電話端末２０との認証機能を備える卓上充電器１０とから構成される。
【００３６】
卓上充電器１０は、携帯電話端末２０が接続されると認証機能や充電制御を行う制御部１１と、制御部１１からの情報などを表示する表示部１２と、制御部１１を時間設定等により動作させるタイマ１３と、制御部１１と時間同期を取ったり時刻表示をするための時計１４と、制御部１１からの制御情報や認証情報、携帯電話端末２０の各種機能の設定情報を保管するメモリ１５と、携帯電話端末２０と卓上充電器１０との接続を可能にするＩ／Ｆ部１６と、携帯電話端末２０を充電する際に直流電圧、電流を供給するＡＣアダプタ１７と、パーソナルコンピュータなどの外部機器と卓上充電器１０との接続を可能にする外部Ｉ／Ｆ部１８などで構成される。
【００３７】
また、携帯電話端末２０は、音声やデータを送受信するアンテナ部２１と、無線信号を送受信する無線部２２と、文字や画像情報を表示する表示部２３と、入出力操作を行うキースイッチなどからなる操作部２４と、認証情報や個人データの送信、各種機能の動作を制御する制御部２５と、認証情報や個人データを記憶するメモリ部２６と、電源を供給する電池２７と、音声や着信音等を出力するスピーカ２８と、機能を時間で制御するためのタイマ２９などで構成される。
【００３８】
なお、図１は本実施例の携帯電話システムの一例であり、卓上充電器１０には、少なくとも制御部１１とメモリ１５とＩ／Ｆ部１６とＡＣアダプタ１７とを備えていればよい。また、卓上充電器１０や携帯電話端末２０の形状や形態は任意であり、卓上充電器１０は据え置き可能な形態としてもよいし、持ち運び可能な形態としてもよい。
【００３９】
次に、上記構成の携帯電話システム３０の制御動作について、図２のフローチャート図を参照して説明する。
【００４０】
なお、以下の説明において、卓上充電器１０のメモリ１５には予め所定の認証情報や携帯電話端末２０の各種機能を制御するための設定情報が記憶されているものとする。これらの情報の記憶方法は特に限定されないが、例えば、ユーザーが携帯電話端末２０の操作部２４を操作して認証後に実行する各種機能を制御するための設定（例えば、所定のデータの送信、電子メールの配信、就業時間報告、ハンディキャップ者の在宅確認メール送信、目覚まし設定、スケジューラの自動同期、携帯電話端末とパーソナルコンピュータなどの外部機器との管理データの同期など）を行うと、制御部２５は設定情報を卓上充電器１０に送信し、卓上充電器１０の制御部１１は、Ｉ／Ｆ部１６を介して受信した設定情報をメモリ１５に記憶することができる。
【００４１】
まず、ステップＳ１０１で、本実施例の携帯電話端末２０を卓上充電器１０に接続すると、ステップＳ１０２で、卓上充電器１０の制御部１１は、Ｉ／Ｆ部１６を介して携帯電話端末２０から認証情報を取得（例えば、制御部１１が携帯電話端末２０の制御部２５に制御信号を送出し、制御部２５はメモリ２６から認証情報を読み取り、卓上充電器１０に送信）し、ステップＳ１０３で、取得した認証情報とメモリ１５に予め記憶された認証情報とを比較し、ステップＳ１０４で、携帯電話端末２０を認証するか否かを判断する。
【００４２】
そして、認証しない場合（例えば双方の認証情報が一致しない場合）は処理を終了し、認証する場合（例えば双方の認証情報が一致する場合）は、卓上充電器１０の制御部１１は、設定情報を表示させる表示部１２、機能の動作タイミングを調整するタイマ１３と時計１４、設定情報等を記憶するメモリ１５、ＤＣ電源を供給するＡＣアダプタ１７、携帯電話端末２０以外の端末と接続する為の外部Ｉ／Ｆ部１８へ各命令を伝達し、所定の処理を実行させる。
【００４３】
具体的には、ステップＳ１０５で、卓上充電器１０の制御部１１は、ＤＣ電源を供給するＡＣアダプタ１７を制御して携帯電話端末２０への充電を開始する。これにより、認証された携帯電話端末２０のみが充電可能になるため、携帯電話端末２０が盗まれた場合であっても、他の卓上充電器では充電できないため、継続的な不正使用を防止することができる。
【００４４】
また、卓上充電器１０の外部Ｉ／Ｆ部１８にパーソナルコンピュータなどの外部機器が接続されている場合は、制御部１１は携帯電話端末２０と外部機器との接続を許可して管理データの同期などを実行可能にする。
【００４５】
また、卓上充電器１０の制御部１１は、携帯電話端末２０から使用履歴（通話、電子メール、アプリ）や使用時間などの情報を読み出し、その情報に基づき、携帯電話端末２０の使用状態（電池２７の充電状態や残り使用時間等）を診断し、診断結果を表示部１２に表示して、充電時間の予測、使用方法の情報などをユーザーに提供する。
【００４６】
また、ステップＳ１０６で、卓上充電器１０の制御部１１は、メモリ１５から携帯電話端末２０の各種機能の設定情報を読み出して携帯電話端末２０に送信し、ステップＳ１０７で、携帯電話端末２０の制御部２５は、受信した設定情報に基づいて各種機能を実行する。
【００４７】
例えば、設定情報でメモリ２６に記憶されているデータ（例えば、個人データ）の送信が設定されている場合は、制御部２５はメモリ２６から指定されたデータを読み出して卓上充電器１０に送信し、卓上充電器１０の制御部１１は、受信したデータをメモリ１５に記憶する。これにより、特別な操作をすることなく、所望のデータを安全かつ容易に卓上充電器１０のメモリ１５に記憶することができる。なお、データの送信に際して、制御部２５のメモリ２６から該データを消去してもしなくてもよいが、メモリ２６から該データを消去することによって携帯電話端末２０が盗まれた場合であっても第三者による個人データの不正使用を未然に防止することができる。
【００４８】
また、設定情報で所定の電子メールの送信が設定されている場合は、制御部２５は無線部２２を制御して電子メールを送信し、目覚ましが設定されている場合は、制御部２５は所定の時刻になったらスピーカ２８を制御して所定の音を鳴動させるなどの制御を行う。これにより、特別な操作をすることなく、所望の機能を簡単に実行することができる。
【００４９】
このように、卓上充電器１０に認証機能を持たせ、認証された携帯電話端末２０に対して充電を行ったり、外部機器との接続を許可したり、電池２７の使用状態を診断したり、携帯電話端末２０から送信されるデータを保存したり、設定情報に基づいて携帯電話端末２０の各種機能を制御することにより、データ通信を安全かつ容易に行い、安全性が高く、携帯電話端末の様々な機能を簡単に実行できるシステムを提供することができる。
【００５０】
なお、上記では、卓上充電器１０の制御部１１で認証を行う場合を示したが、携帯電話端末２０の制御部２５で認証を行うようにしてもよい。その場合は、ステップＳ１０２で、携帯電話端末２０の制御部２５は、Ｉ／Ｆ部１６を介して卓上充電器１０から認証情報を取得し、ステップＳ１０３で、取得した認証情報とメモリ２６に予め記憶された認証情報とを比較して認証を行えばよく、認証する場合は、ステップＳ１０５で、卓上充電器１０の制御部１１に認証結果を通知し、制御部１１はＡＣアダプタ１７を制御して携帯電話端末２０への充電を開始したり、携帯電話端末２０と外部機器との接続を許可したり、携帯電話端末２０の使用状態を診断し、また、ステップＳ１０６で、携帯電話端末２０の制御部２５は、メモリ２６に記憶した設定情報を読み出して、該設定情報に基づいて各種機能を実行することができる。
【実施例２】
【００５１】
次に、本発明の第２の実施例に係る携帯電話システム及びその制御方法について、図３乃至図５を参照して説明する。図３は、本実施例のＲＦＩＤ機能付き携帯電話システムの使用状態を模式的に示す図であり、図４は、本実施例のＲＦＩＤ機能付き携帯電話システムの構成を示すブロック図である。また、図５は、ＲＦＩＤ機能付き携帯電話システムの制御動作を示すフローチャート図である。
【００５２】
前記した第１の実施例では、卓上充電器１０のＩ／Ｆ部１６を介して認証情報や設定情報の送受信を行ったが、近年の携帯電話端末２０には電磁誘導又は電磁結合を利用してデータ通信を行うＲＦＩＤ（Radio Frequency Identification）機能を備えたものもあることから、本実施例では上記情報の送受信をＲＦＩＤ機能を利用して行う。
【００５３】
具体的には、図４に示すように、本実施例のＲＦＩＤ機能付き携帯電話システム４０を構成する携帯電話端末２０には、図１の構成に加えてＲＦＩＤ  Ｒ／Ｗ（リーダ／ライタ）２１１を備え、卓上充電器１０には、図１の構成に加えてＲＦＩＤ  Ｒ／Ｗ１９を備え、図３に示すように、携帯電話端末２０のＲＦＩＤ  Ｒ／Ｗ２１１を卓上充電器１０ＲＦＩＤ  Ｒ／Ｗ１９にかざし、これらのＲＦＩＤ  Ｒ／Ｗ間で通信を行うことによって認証機能や各装置間でのデータ通信を実現させる。
【００５４】
次に、上記構成のＲＦＩＤ機能付き携帯電話システム４０の制御動作について、図５のフローチャート図を参照して説明する。なお、本実施例においても、卓上充電器１０のメモリ１５には予め所定の認証情報や、携帯電話端末２０の各種機能を制御するための設定情報が記憶されているものとする。
【００５５】
まず、ステップＳ２０１で、本実施例の携帯電話端末２０を卓上充電器１０にかざすと、ステップＳ２０２で、卓上充電器１０のＲＦＩＤ  Ｒ／Ｗ１９と携帯電話端末２０のＲＦＩＤ  Ｒ／Ｗ２１１とが電磁誘導又は電磁結合を利用して通信を行い、ステップＳ２０３で、卓上充電器１０の制御部１１は双方のＲ／Ｗの通信結果に基づいて携帯電話端末２０を認証するか否かを判断する。
【００５６】
そして、認証しない場合（例えば双方の認証情報が一致しない場合）は処理を終了し、認証する場合（例えば双方の認証情報が一致する場合）は、卓上充電器１０の制御部１１は、第１の実施例と同様に、設定情報を表示させる表示部１２、機能の動作タイミングを調整するタイマ１３と時計１４、設定情報等を記憶するメモリ１５、ＤＣ電源を供給するＡＣアダプタ１７、携帯電話端末２０以外の端末と接続する為の外部Ｉ／Ｆ部１８、ＲＦＩＤ  Ｒ／Ｗ１９へ各命令を伝達し、所定の処理を実行させる。
【００５７】
具体的には、ステップＳ２０４で、卓上充電器１０の制御部１１は、ＤＣ電源を供給するＡＣアダプタ１７を制御して携帯電話端末２０への充電を開始する。これにより、認証された携帯電話端末２０のみが充電可能になるため、携帯電話端末２０が盗まれた場合であっても、他の卓上充電器では充電できないため、継続的な不正使用を防止することができる。
【００５８】
また、卓上充電器１０の外部Ｉ／Ｆ部１８にパーソナルコンピュータなどの外部機器が接続されている場合は、制御部１１は携帯電話端末２０と外部機器との接続を許可して管理データの同期などを実行可能にする。
【００５９】
また、卓上充電器１０の制御部１１は、Ｒ／Ｗを介して携帯電話端末２０から使用履歴（通話、電子メール、アプリ）や使用時間などの情報を読み出し、その情報に基づき、携帯電話端末２０の使用状態（電池２７の充電状態や残り使用時間等）を診断し、診断結果を表示部１２に表示して、充電時間の予測、使用方法の情報などをユーザーに提供する。
【００６０】
また、ステップＳ２０５で、卓上充電器１０の制御部１１は、ＲＦＩＤ  Ｒ／Ｗ１９を制御して、メモリ１５に予め記憶された設定情報を携帯電話端末２０のＲＦＩＤ  Ｒ／Ｗ２１１に送信し、ステップＳ２０６で、携帯電話端末２０の制御部２５は、受信した設定情報に基づいて各種機能を実行する。
【００６１】
例えば、設定情報でメモリ２６に記憶されているデータ（例えば、個人データ）の送信が設定されている場合は、制御部２５はそのデータをＲ／Ｗを介して卓上充電器１０に送信し、卓上充電器１０の制御部１１は、受信したデータをメモリ１５に記憶する。これにより、特別な操作をすることなく、所望のデータを安全かつ容易に卓上充電器１０のメモリ１５に記憶することができる。
【００６２】
また、設定情報で所定の電子メールの送信が設定されている場合は、制御部２５は無線部２２を制御して電子メールを送信し、目覚ましが設定されている場合は、制御部２５は所定の時刻になったらスピーカ２８を制御して所定の音を鳴動させるなどの制御を行う。これにより、特別な操作をすることなく、所望の機能を簡単に実行することができる。
【００６３】
このように、携帯電話端末２０とその卓上充電器１０のそれぞれにＲＦＩＤ  Ｒ／Ｗを設置し、Ｒ／Ｗ間での通信を利用して認証を行い、認証された場合に、充電を開始したり、外部機器との接続を許可したり、電池２７の使用状態を診断したり、認証された携帯電話端末２０から送信されるデータを保存したり、設定情報に基づいて携帯電話端末２０の各種機能を制御することにより、データ通信を安全かつ容易に行い、安全性が高く、携帯電話端末の様々な機能を簡単に実行できるシステムを提供することができる。
【００６４】
なお、本実施例においても、卓上充電器１０の制御部１１で認証を行う場合を示したが、携帯電話端末２０の制御部２５で認証を行うようにしてもよい。その場合は、ステップＳ２０３で、制御部２５が双方のＲ／Ｗの通信結果に基づいて認証を行えばよく、認証する場合は、ステップＳ２０４で、卓上充電器１０の制御部１１に認証結果を通知し、制御部１１はＡＣアダプタ１７を制御して携帯電話端末２０への充電を開始したり、携帯電話端末２０と外部機器との接続を許可したり、携帯電話端末２０の使用状態を診断し、また、ステップＳ２０５で、携帯電話端末２０の制御部２５は、メモリ２６に記憶した設定情報を読み出して、該設定情報に基づいて各種機能を実行することができる。
【００６５】
また、上記各実施例では、本発明を携帯電話端末に適用する場合を示したが、本発明は上記実施例に限定されるものではなく、ＰＤＡ（Personal Digital Assistants）やゲーム機などの充電器で充電を行う任意の携帯端末に対して適用することができる。
【産業上の利用可能性】
【００６６】
本発明は、携帯端末及び充電器を含む任意のシステムに利用可能である。
【図面の簡単な説明】
【００６７】
【図１】本発明の第１の実施例に係る携帯電話システムの構成を示すブロック図である。
【図２】本発明の第１の実施例に係る携帯電話システムの制御動作を示すフローチャート図である。
【図３】本発明の第２の実施例に係るＲＦＩＤ機能付き携帯電話システムの使用状態を模式的に示す図である。
【図４】本発明の第２の実施例に係るＲＦＩＤ機能付き携帯電話システムの構成を示すブロック図である。
【図５】本発明の第１の実施例に係るＲＦＩＤ機能付き携帯電話システムの制御動作を示すフローチャート図である。
【符号の説明】
【００６８】
１０  卓上充電器
１１  制御部
１２  表示部
１３  タイマ
１４  時計
１５  メモリ
１６  Ｉ／Ｆ部
１７  ＡＣアダプタ
１８  外部Ｉ／Ｆ部
１９  ＲＦＩＤ  Ｒ／Ｗ部
２０  携帯電話端末
２１  アンテナ部
２１１  ＲＦＩＤ  Ｒ／Ｗ部
２２  無線部
２３  表示部
２４  操作部
２５  制御部
２６  メモリ
２７  電池
２８  スピーカ
２９  タイマ
３０  携帯電話システム
４０  ＲＦＩＤ機能付き携帯電話システム
【図１】
2007306288.tif 000003
【図２】
2007306288.tif 000004
【図３】
2007306288.tif 000005
【図４】
2007306288.tif 000006
【図５】
2007306288.tif 000007